(57)【要約】【課題】  イヤホン等のコードが接続される携帯機器を、収容することができる鞄・袋物について、当該コードの絡みを抑制した。【解決手段】この鞄・袋物１は、鞄・袋物１の表面にコード巻回部２が設けられ、コード巻回部２は、鞄・袋物１の表面から突出し、鞄・袋物１の外部においてコードを巻き付けることができる。鞄・袋物１の表面には、開閉自在なフラップ３が設けられ、フラップ３の先端側は、着脱自在に取り付けがなされる自由端であり、コード巻回部２の外周にコードを巻き付け後、フラップ３の自由端の取り付けを行うことにより、フラップ３は、フラップ３と鞄・袋物の表面との間にコード巻回部２を挟む。【選択図】図１
2014018538.tif 000002
【特許請求の範囲】
【請求項１】
イヤホン等のコードが接続される携帯機器を、収容することができる鞄・袋物であって、
鞄・袋物の表面にコード巻回部が設けられ、
上記のコード巻回部は、鞄・袋物の表面から突出する突出部であり、鞄・袋物の外部において当該コード巻回部へ上記コードを巻き付けることができることを特徴とする鞄・袋物。
【請求項２】
上記コード巻回部の先端部は、コードの抜止め部を備え、
上記抜止め部は、上記コード巻回部の突出方向と交差する方向に突出するものであることを特徴とする請求項１記載の鞄・袋物。
【請求項３】
鞄・袋物の表面へ開閉自在にフラップが設けられ、
上記フラップを開くことによって上記コード巻回部へ上記コードを巻き付けることができ、上記フラップを閉じることによって上記コード巻回部を鞄・袋物の表面と当該フラップとの間に挟むことができるものである請求項１又は２記載の鞄・袋物。
【請求項４】
イヤホンの使用が可能なスマートフォン等の携帯機器を、収容することができる鞄・袋物であって、上記のコードを、基端側が携帯機器に接続される当該イヤホンのコードとし、
鞄・袋物の表面には、収容物を出し入れする口と、当該口と別に設けられ鞄・袋物の表面から鞄・袋物の内部に貫通するコード挿通孔と、上記コードの先端側を保持することが可能な保持部とが設けられ、
コード巻回部の上記抜止め部は、コード巻回部の先端側に設けられた鍔であり、
上記フラップの基部は、鞄・袋物の表面に固定され、上記フラップの先端側は、起毛ファスナ等の係止部材によって、上記コード巻回部の先端へ開閉自在に固着でき、
上記フラップは、柔軟なシートであり、閉じられることによって、上記コード巻回部を覆うものであり、
上記保持部は、コード巻回部に巻き付けられたコードの先端側を、強制的に嵌めることができるものであることを特徴とする請求項３記載の鞄・袋物。
【請求項５】
上記コード巻回部とコード挿通孔とは、夫々鞄・袋物の正面に設けられ、
上記保持部は、鞄・袋物の当該正面と鞄・袋物の側面とが交差する角へ立設され、力を受けて撓み当該力が解除されることによって元の状態に復元する弾性体でできた小片であり、当該小片には切れ込みが設けられ、当該切れ込みを押し広げて切れ込み内に上記コードを強制的に嵌めることができ、
上記コード挿通孔の縁には、コード押圧部が設けられ、当該コード押圧部は、ゴム等の弾力性を有する素材でできた複数の板片にて構成され、板片同士は、コード挿通孔の縁において異なる位置に設けられてコード挿通孔の径の内側方向に向け張り出してコード挿通孔の口を狭めるものであることを特徴とする請求項４記載の鞄・袋物。
【発明の詳細な説明】
【技術分野】
【０００１】
本願発明は、鞄・袋物に関する。
【背景技術】
【０００２】
携帯オーディオ機器やスマートフォンなどの、イヤホンを使用する携帯機器について、イヤホンのコードが絡んで速やかに使用を開始することができないという煩わしさを感じることがよくある。
このため、例えば特許文献１に示すように、未使用時のイヤホンにおいてコードを巻き取って収納するケースが提案されている。
【０００３】
しかし、バッグなどの鞄・袋物に携帯機器を収納する場合、当該ケースも携帯機器と一緒に当該鞄・袋物へ収容する必要がある。バッグに携帯機器を入れて持ち運ぶ際にイヤホンを使用して音楽などを聞く場合、バッグ内でイヤホンのコードをバッグの外へ引き出す作業を行わなければならない。バッグの中を手さぐりで上記コードを引き出すのは面倒であり、一方、一々バッグの中を覗き込んでイヤホンケースを探すのも手間である。また、バッグ内に携帯機器と共に上記ケースを収納するのは、嵩張るものである。
【０００４】
この他、特許文献２へ示すように、携帯オーディオ機器の収納袋に携帯オーディオを収納し、イヤホンがオーディオ機器に接続されたまま、イヤホンのコードを収納袋の外側へ収納された携帯機器ごと巻き付けて、紐を輪にしたループ部へイヤホンの先端を留めるものも提案されている。特許文献２へ示すものは、このように収納袋へ収納された携帯オーディオ機器へコードを巻き付けることにより、特許文献１の上記ケースを用いずに、コードを絡み難いものとしている。
【先行技術文献】
【特許文献】
【０００５】
【特許文献１】特開２００６−２３９０９９号公報
【特許文献２】特開２００７−２０９７０７号公報
【発明の概要】
【発明が解決しようとする課題】
【０００６】
しかし、この突起文献２に示された収納袋では、携帯機器自体をコードの巻取りに使用するので、携帯機器を収納した後に電源のオン・オフその他の操作を行いたい場合など、コードが邪魔になって、携帯機器の円滑な操作が行い難い。また、特許文献２に示す収納袋は、混雑する電車などではコードが他人の持ち物や衣服のボタン等に引っ掛かったりする危惧がある。また、携帯電話やスマートフォンなどでは、通話やインターネットのブラウジングなどイヤホンを外して使用したい場合に、巻き付けたイヤホンを一々解いて使用する必要がある。
【課題を解決するための手段】
【０００７】
本願の請求項１に係る発明は、イヤホン等のコードが接続される携帯機器を、収容することができる鞄・袋物であって、鞄・袋物の表面にコード巻回部が設けられ、上記のコード巻回部は、鞄・袋物の表面から突出する突出部であり、鞄・袋物の外部において当該コード巻回部へ上記コードを巻き付けることができることを特徴とする鞄・袋物を提供する。
【０００８】
上記携帯機器には、スマートフォン、携帯電話などの携帯端末や通信機の他、携帯オーディオ機器（携帯ミュージックプレーヤー）、携帯ラジオなども含む。また、これらのイヤホンを使用する携帯機器の他、例えば、小型マイクを接続して利用する録音機もここでいう携帯機器に含む。即ち、本願発明に係る鞄・袋物は、イヤホンに限らずマイクコードを巻回して使用することも可能である。また、ＦＭラジオなどでは、アンテナをコードとする場合があり、このようなコードアンテナを巻回して持ち運ぶのに、本願発明に係る鞄・袋物を利用することができる。
【０００９】
また、鞄・袋物には、上記の携帯電話やスマートフォン、携帯オーディオ機器、ラジオ、録音機などの携帯機器専用の収納袋やソフトケースを含む他、ハンドバッグや鞄などのバッグ、ポーチ、更にデイバッグやリュックサックなど背嚢型のザックといった、携帯機器以外のものも収納することができる一般的な鞄・袋物も含む。
【００１０】
更に、上記ポーチには、手提げポーチや、ベルトを備えたウエストポーチの他、ズボンのベルトへ通す環状の帯を備えたポーチや、ズボンのベルト通しへ取り付けるストラップやカラビナを備えた吊り下げ型のポーチや、肩掛け紐を備えたポシェットも含む。
【００１１】
本願の請求項２に係る発明では、本願の上記請求項１に係る発明にあって、上記コード巻回部の先端部は、コードの抜止め部を備え、上記抜止め部は、上記コード巻回部の突出方向と交差する方向に突出するものであることを特徴とする鞄・袋物を提供する。
【００１２】
本願の請求項３に係る発明では、本願の上記請求項１又は２に係る発明にあって、鞄・袋物の表面へ開閉自在にフラップが設けられ、上記フラップを開くことによって上記コード巻回部へ上記コードを巻き付けることができ、上記フラップを閉じることによって上記コード巻回部を鞄・袋物の表面と当該フラップとの間に挟むことができる鞄・袋物を提供する。
本願の請求項４に係る発明では、本願の上記請求項３に係る発明にあって、次の構成を採る鞄・袋物を提供する。
【００１３】
即ち、この鞄・袋物は、イヤホンの使用が可能なスマートフォン等の携帯機器を、収容することができる鞄・袋物であって、上記のコードを、基端側が携帯機器に接続される当該イヤホンのコードとし、鞄・袋物の表面には、収容物を出し入れする口と、当該口と別に設けられ鞄・袋物の表面から鞄・袋物の内部に貫通するコード挿通孔と、上記コードの先端側を保持することが可能な保持部とが設けられている。コード巻回部の上記抜止め部は、コード巻回部の先端側に設けられた鍔である。上記フラップの基部は、鞄・袋物の表面に固定され、上記フラップの先端側は、起毛ファスナ等の係止部材によって、上記コード巻回部の先端へ開閉自在に固着でき、上記フラップは、柔軟なシートであり、閉じられることによって、上記コード巻回部を覆う。上記保持部は、コード巻回部に巻き付けられたコードの先端側を、強制的に嵌めることができる。
【００１４】
上記の係止部材は、着脱自在に取り付けを行うことができるものであればよく、起毛ファスナ以外に、金具のファスナや、ボタン、スナップ、磁石などの周知の固定手段を含む。
本願の請求項５に係る発明では、本願の上記請求項４に係る発明にあって、次の構成を採る鞄・袋物を提供する。
【００１５】
即ち、上記コード巻回部とコード挿通孔とは、夫々鞄・袋物の正面に設けられている。上記保持部は、鞄・袋物の当該正面と鞄・袋物の側面とが交差する角へ立設され、力を受けて撓み当該力が解除されることによって元の状態に復元する弾性体でできた小片であり、当該小片には切れ込みが設けられ、当該切れ込みを押し広げて切れ込み内に上記コードを強制的に嵌めることができる。上記コード挿通孔の縁には、コード押圧部が設けられ、当該コード押圧部は、ゴム等の弾力性を有する素材でできた複数の板片にて構成され、板片同士は、コード挿通孔の縁において異なる位置に設けられてコード挿通孔の径の内側方向に向け張り出してコード挿通孔の口を狭める。
【発明の効果】
【００１６】
本願の上記請求項１〜５の発明は、携帯機器と一緒にイヤホン等のコードを巻き取る別途の巻き取り手段を収納する必要をなくしつつ、当該コードが絡まり難い鞄・袋物を提供した。特に、上記本願の各発明では、携帯機器を鞄・袋物へ収納したままでコードを鞄・袋物の外部に出すことができる。更に、上記本願の各発明は、コード自体を携帯機器に巻き付ける必要をなくして、巻き取ったコードを携帯機器の操作の邪魔にならないものとした。従って、コードを使用しない場合、一々携帯機器からコードを解く必要がなく、コード巻回部へコードを巻き付けたまま、コードを携帯機器から外して、携帯機器のみ鞄・袋物から取り出して使用することができる。
【００１７】
本願の上記請求項２の発明では、コード巻回部へ巻き付けたコードがコード巻回部の先端側から簡単に抜けないものとした。
【００１８】
本願の上記請求項３の発明では、フラップを閉じることにより、コード巻回部へ巻き付けたコードの輪が広がってコード巻回部からコード外れるということを抑制した。
【００１９】
本願の上記請求項４の発明では、特にイヤホンのコードの巻き取りに適した鞄・袋物を提供した。更に、本願の請求項４の発明では、コード挿通孔から上記コードを鞄・袋物の外部へ出すことができる。従って、鞄・袋物の口を通じてコードの引き出しを行う必要がないので、鞄・袋物の口をしっかり閉じておくことができる。また、本願の請求項４の発明では、フラップがコード巻回部を覆うことにより、コードを他へ引っ掛け難いものとした。
また更に、本願の請求項４の発明では、係止部材にてフラップの先端をコード巻回部の先端へ固着することにより、フラップとコード巻回部と鞄・袋物の表面とを環状に閉じることができ、巻き付けられたコードの輪がコード巻回部から簡単に外れないものとした。また、コードの抜止め部を鍔とすることによって、フラップを開いた状態においても、コードの露出を抑えることができる。
更に、本願の上記請求項４の発明では、イヤホンのコードの先端側を保持部にて簡単に留めておくことができる。
【００２０】
本願の上記請求項５の発明では、コードの先端側を簡単且つ確実に係止しておくことができる保持部を提供した。更に、本願の上記請求項５の発明では、コード挿通口はコードの出入りの抵抗となるコード押圧部を備えることにより、コード挿通孔とコード巻回部との間でコードの弛みを生じさせ難いものとした。特に携帯機器本体からコードを外した後もコード押圧部にコードの基端側を保持させることができ、再度コードを接続するときコードの基端を探す必要がない。
【図面の簡単な説明】
【００２１】
【図１】（Ａ）は、本願発明の一実施の形態に係る鞄・袋物へ、携帯機器を収容する様子を示す斜視図、（Ｂ）は上記携帯機器を収容した後コード挿通孔へ携帯機器のイヤホンのコードを通した状態を示す斜視図。
【図２】（Ａ）は図１の鞄・袋物のコード巻回部の側面を示す一部切欠側面図、（Ｂ）は（Ａ）のコード巻回部へコードを巻き付けた状態を示す一部切欠側面図、（Ｃ）は図１（Ｂ）に示すコードをコード巻回部へ巻き付けた状態を示すフラップを開いた斜視図、（Ｄ）は（Ｃ）のフラップを閉じた状態を示す斜視図。
【図３】（Ａ）は本願発明に係る鞄・袋物の変更例を示すフラップを開いた正面図、（Ｂ）は（Ａ）のフラップを閉じた状態を示す正面図。
【図４】（Ａ）は本願発明に係る鞄・袋物の更に他の変更例を示す正面図、（Ｂ）は（Ａ）の鞄・袋物の側面図、（Ｃ）は（Ａ）鞄・袋物の背面図、（Ｄ）はまた更に他の変更例を示す正面図、（Ｅ）は（Ｄ）鞄・袋物の背面図。
【図５】（Ａ）は本願発明に係る鞄・袋物のまた他の変更例を示すフラップを開いた正面図、（Ｂ）は（Ａ）のフラップを閉じた状態を示す側面図、（Ｃ）は（Ｂ）鞄・袋物の正面図、（Ｄ）は（Ｃ）鞄・袋物の背面図、（Ｅ）は更に変更した例を示す背面図、（Ｆ）はまた更に変更した本願発明に係る鞄・袋物のフラップを開いた状態の正面図、（Ｇ）は（Ｆ）のフラップを閉じた状態の側面図、（Ｈ）は（Ｇ）鞄・袋物の正面図、（Ｉ）は（Ｇ）鞄・袋物の背面図。
【図６】（Ａ）は本願発明に係る鞄・袋物のまた更に他の実施の形態を示す側面図、（Ｂ）は（Ａ）の鞄・袋物の正面図、（Ｃ）は（Ａ）の鞄・袋物の背面図、（Ｄ）は（Ａ）の鞄・袋物のフラップを開いた要部正面図、（Ｅ）は（Ａ）のフラップの裏面を示す要部説明図。
【図７】（Ａ）は本願発明に係る鞄・袋物の更に他の実施の形態を示すフラップを開いた正面図、（Ｂ）は（Ａ）のフラップを閉じた状態を示す側面図、（Ｃ）は（Ｂ）の鞄・袋物の正面図、（Ｄ）は（Ｂ）の鞄・袋物の背面図。
【発明を実施するための形態】
【００２２】
以下、図面に基づき本願発明の実施の形態を説明する。
図１及び図２は、鞄・袋物１として、携帯機器ｋたるスマートフォンを収納する専用のソフトケースを例示する。
【００２３】
携帯機器ｋには、イヤホンのコードｃの基端ｃ１が接続されている。このコードｃの先端には、耳に装着されるイヤホン本体ｃ０が設けられている。ここでは、上記イヤホンとして、左右の耳に対応して、コードｃが分岐しイヤホン本体ｃ０を２つ備えるものを例示する。但し、イヤホンは、コードが分岐せずイヤホン本体ｃ０を１つのみ備えるものであってもよい。
図１（Ｂ）へ示す通り、この鞄・袋物１は、鞄・袋物本体１０と、コード巻回部２と、フラップ３と、保持部４とを備える。
以下、各構成の詳細について順に説明する。
【００２４】
鞄・袋物本体１０は、内部に携帯機器ｋを収納することが可能な収納用袋である。鞄・袋物本体１０は、布、皮革、又は軟質プラスチックを主材として形成されている。図１（Ａ）へ示す通り、鞄・袋物本体１０は、収納する携帯機器ｋを出し入れすることが可能な口１１と、当該口１１と別に設けられたコード挿通孔１３とを備える。この実施の形態において、口１１は、閉鎖部材１２である金具のファスナによって開閉自在とされている。また、上記口１１の閉鎖手段として、金具のファスナ以外に、起毛ファスナ、スナップ、ボタン、或いは磁石を採用することができる。また、口１１に閉鎖手段を設けないものとしても実施できる。
【００２５】
この実施の形態において、上記口１１は、鞄・袋物本体１０の上部に設けられている。但し、上記口１１は、鞄・袋物本体１０の正面や背面或いは側面などの、鞄・袋物本体１０の上部以外の部分に設けられるものとしても実施可能である。
上記のコード挿通孔１３は、鞄・袋物本体１０の正面に設けられている。コード挿通孔１３は、鞄・袋物１表面から鞄・袋物１の内部へ貫通する孔である。
【００２６】
収容物を出し入れする鞄・袋物１の上記口１１を閉ざしても、収納した携帯機器ｋのイヤホンのコードｃを、当該コード挿通孔１３を通じて鞄・袋物の外部へ出すことができる。
【００２７】
コード挿通孔１３は、鞄・袋物本体１０の背面或いは側面に、設けられるものとしても実施可能である。但し、コード巻回部２の近くに、例えば鞄・袋物１の同一面に、設けておくのが好ましい。
また、上記口１１にてコードｃを出すものとし、コード挿通孔１３を設けずに実施することができる。
【００２８】
図１（Ｂ）へ示すようにコード挿通孔１３へコードｃを通すには、携帯機器ｋから一旦コードｃを抜き、コードｃの基端ｃ１側を鞄・袋物１の外部からコード挿通孔１３へ挿入し、鞄・袋物１内へ収容した携帯機器ｋへ再度コードｃの基端ｃ１を接続すればよい。
図１及び図２（Ｃ）（Ｄ）へ示す通り、コード挿通孔１３の縁には、上記コードｃの出入りの抵抗となるコード押圧部１４が設けられている。
コード押圧部１４は、弾力性を有する素材でできた複数の板片１４ａにて構成されている。
【００２９】
板片１４ａ同士は、コード挿通孔１３の縁において異なる位置に設けられてコード挿通孔１３の径の内側方向に向けて張り出してコード挿通孔１３の口を狭める。図示したものは、コード押圧部１４は、略直角三角形状の４枚の板片１４ａにて構成されており、互いの直角部分が向き合うように配置され、板片１４ａ同士の間が、正面視においてコード挿通孔１３の口を十字の隙間としている。  コードｃは、当該十字の隙間を押し広げて、コード挿通孔１３へ通される。
【００３０】
この実施の形態において、板片１４ａは、ゴムにて形成されている。但し、軟質プラスチックや、皮、ウレタン等の弾力性を有する他の素材にて板片１４ａを形成するものとしてもよい。また、板片１４ａの形状や枚数は上記に限定するものではない。板片１４ａは、２枚としても、３枚としても、５枚以上としても実施可能である。また、コード押圧部１４は、弾性体にて形成された単一の環状体とし、コード挿通孔１３の縁に取り付けられて、コード挿通孔１３の内径を小さくするものでもよい。このようにコード押圧部１４を環状に形成した場合、コード押圧部１４の内径を押し広げて、イヤホンのコードｃを通せばよい。
【００３１】
また、コード押圧部１４を複数の板片１４ａにて構成する場合、板片１４ａ同士は、分離したものとして別々にコード挿通孔１３の縁に取り付けられるものとしてもよいが、各板片１４ａ同士が互いの基部にて一体とされたものを採用すれば、製造時においてコード挿通孔１３への取り付けが簡単である。
【００３２】
コード巻回部２は、  図２（Ａ）（Ｂ）へ示す通り、鞄・袋物本体１０の正面に設けられ、鞄・袋物本体１０の正面から突出する突出部である。コード巻回部２は、その外周部２１に上記コードｃを巻き付けることができる。
【００３３】
コード巻回部２は、プラスチックを成形することにて形成してもよく、複数毎の皮革や布などを重ね合わせて固定し突出方向に幅を持たせるものとしても実施できる。コード巻回部２は、縫製によって、鞄・袋物本体１０へ設けるものとしてもよく、接着剤、その他リベットやネジ等の固定具で鞄・袋物本体１０へ設けるものとしてもよい。
【００３４】
コード巻回部２の先端側には、コード巻回部２の突出方向と直交する方向に突出する抜止め部２２が設けられている。具体的には、抜止め部２２は、コード巻回部２の上記外周部２１よりも径の大きな鍔である。抜止め部２２は、コード巻回部２の上記外周部２１へ巻き付けたコードｃがコード巻回部２の先端側から抜けるのを阻止する。抜止め部２２は、コードが抜けるのを阻止することができれば、上記鍔に限定するものではなく、１つ又は複数の突起としてもよく、更に他の形態を採るものとしても実施できる。
また、図１（Ｂ）、図２（Ａ）〜（Ｃ）へ示す通り、コード巻回部２の先端面には、フラップ３の係止部材を構成する起毛ファスナ２３が設けられている。
フラップ３は、鞄・袋物１の表面に設けられた、柔軟なシート状体である。フラップ３は、布や皮革、軟質プラスチックにて形成することができる。
【００３５】
フラップ３の基部３０は、鞄・袋物１の表面に固定されている。フラップ３の先端３２は自由端である。フラップ３の裏面には、コード巻回部２の上記起毛ファスナ２３と共に係止部材を構成する、起毛ファスナ３１が設けられている。コード巻回部２の上記起毛ファスナ２３とフラップ３の起毛ファスナ３１とは、雌雄一対のファスナであり、結合することができる。
【００３６】
フラップ３を鞄・袋物１正面に重ねてコード巻回部２を覆うことにより、上記両起毛ファスナ２３，３１が結合し、フラップ３の自由端をコード巻回部２の先端面へ着脱自在に固定することができる。
【００３７】
フラップ３は、上記コードｃがコード巻回部２から解けるのを抑える。また、フラップ３は、コード巻回部２と共にコード巻回部２へ巻き付けられたコードｃを覆い隠す（図２（Ｄ））。
【００３８】
保持部４は、力を受けて撓み当該力が解除されることによって元の状態に復元する弾性体でできた板状体である（図１（Ｂ）及び図２（Ｃ））。この実施の形態では、保持部４は、鞄・袋物本体１０の正面と側面との縫い目に取り付けられて鞄・袋物本体１０表面から突出するプラスチック製の板である。但し、保持部４は、ゴムや皮革にて形成するものとしても実施可能である。
【００３９】
板状体である保持部４は、その先端側から基部側に向けて設けられた切れ込み４１を備える。切れ込み４１を挟んで保持部４の両側を互い違いに撓ませることにより、当該切れ込み４１を押し広げて切れ込み４１内に上記コードｃの先端ｃ２側を強制的に嵌め、当該コードｃの先端ｃ２側を係止することができる。切れ込み４１は、保持部４の先端側から基端側に向けて設けられ、当該先端側よりも基端側へ行くにつれて幅が広がる部分を備える。
保持部４は、ネームやロゴを表示する表示部としても利用することができる。
【００４０】
上記の係止部材には、起毛ファスナ以外に、スナップやボタン、口１１の開閉用のファスナ１２と同様の金具のファスナ、磁石など、周知の他の手段を採用するものであっても実施可能である。
【００４１】
図１及び図２へ示す実施の形態と異なり、フラップ３の先端が、コード巻回部２の先端に固定され、フラップ３の基部側が上記の自由端として係止部材にて、鞄・袋物本体１０の表面へ着脱自在に取り付けられるものとしても実施できる。また、フラップ３は、鞄・袋物本体１０と別体に形成され、先端と基端の夫々について、係止部材にて、当該端部の夫々を着脱自在に鞄・袋物本体１０の表面とコード巻回部２の先端面へ取り付けるものとしても実施できる。
【００４２】
更に図１及び図２へ示す鞄・袋物１において、コード巻回部２の先端に設けた起毛ファスナ２３を、コード巻回部２の先端に代え、鞄・袋物本体１０表面の、コード巻回部２を挟んでフラップ３と反対側に設けて実施することができる。この場合フラップ３は、コード巻回部２を跨ぐものとなるが、フラップ３を閉じることにより、フラップ３の基部と先端との間を、コード巻回部２の先端へ当接させることができる。
【００４３】
保持部４は、左右のイヤホン本体ｃ０を別々に係止する切れ込みを２つ以上備えたものであっても実施できる。また、イヤホン本体ｃ０ごとに、別々の保持部４を設けるものとしても実施できる。
【００４４】
図１及び図２へ示す鞄・袋物１は、携帯機器ｋ専用のものとしたが、このような専用品ではなく一般的な鞄・袋物について本願発明を実施するものとしてもよい。
【００４５】
図３は、鞄・袋物１として肩掛けベルト５を備えたショルダーバッグへ本願発明を実施した例を示す。この鞄・袋物１において、鞄・袋物本体１０に設けられたリング５１へ、肩掛けベルト５のストラップが取り付けられることにより、肩掛けベルト５が鞄・袋物本体１０へ着脱自在に設けられている。
【００４６】
この図３へ示す鞄・袋物１では、鞄・袋物本体１０は、主となる収納部（以下、主収納部）以外に正面側に開口（開口部１１ａ）する副収納部（ポケット）を備え、当該副収納部に携帯機器ｋを収納して使用する。即ち、図３の鞄・袋物１において、コード挿通孔１３は、鞄・袋物１外部と当該ポケット内とを連絡するように鞄・袋物１へ設けられている。但し、コード挿通孔１３は、鞄・袋物１外部と鞄・袋物の主収納部とを連絡するように設けて、主収納部に携帯機器ｋを収納するものとしても実施できる。
図３へ示す実施の形態において、特に言及しなかった事項については、図１及び図２へ示す実施の形態と同様である。
【００４７】
図３以外に手提げの鞄やバッグ、ポーチ（例えばウエストポーチや肩掛け紐のついたポシェット）において本願発明を実施することができる。また、デイバッグ、リュックサックなどの背嚢型のザックにおいて本願発明を実施することもできる。
具体的な変更例について、以下順に説明する。
【００４８】
図４（Ａ）〜（Ｃ）へ示すように、図３の肩掛けベルト５に代え、或いは肩掛けベルト５と共にカラビナ等の吊り下げ具６を設けて実施することもできる。この場合、鞄・袋物本体１０には、上記吊り下げ具６を装着する環状部６１を設けておけばよい。環状部６１は、布、皮革又は軟質プラスチックでできたシートを輪にすることによって形成することができる。環状部６１は、図４（Ｃ）に示すように、鞄・袋物本体１０の背面に設けられている。但し、環状部６１は、鞄・袋物本体１０の上面や正面、左右側面といった、鞄・袋物本体１０の上記背面以外の部位に設けても実施することができる。
尚、図４へ示す例では、図３に示すものと異なり、副収納部は備えない。
【００４９】
また、図５（Ａ）〜（Ｄ）へ示すように、図１及び図２へ示す鞄・袋物１においても、図４の鞄・袋物１と同様の吊り下げ具６を設けて実施することができる。尚図５（Ｄ）へ示すように、環状部６１の基部の上に布、皮革又は軟質プラスチックのシート６２を縫いつけて、補強しておくのが望ましい。但し図５（Ｅ）へ示すように、当該シート６２を設けずに実施することもできる。
【００５０】
図５（Ｆ）〜（Ｉ）は、前述のコード挿通孔１３を設けずに実施した具体例を示している。この図５（Ｆ）〜（Ｉ）に示すものにおいて、上記フラップ３は、口１１の蓋を兼ねている。フラップ３を閉じて、口１１を封じても、フラップ３と口１１の隙間１５（図５（Ｈ））からコードｃを鞄・袋物１の外部へ出すことができる。図５（Ｆ）〜（Ｉ）に示すものも、特に言及しなかった事項については、図１、図２及び図５（Ａ）〜（Ｅ）へ示す実施の形態と同様である。
【００５１】
また、図６（Ａ）〜（Ｅ）へ示すように、ショルダーバッグにおいても、図５（Ｆ）〜（Ｉ）の鞄・袋物１と同様、コード挿通孔１３を設けずに実施することができる。この図６（Ａ）〜（Ｅ）へ示す鞄・袋物１も、フラップ３が口１１の蓋を兼ねている。また図６（Ｂ）へ示すように、フラップ３内部も収納部として実施することができる。図６（Ｂ）へ示すように、この例では、フラップ３の当該収納部の口を閉ざすファスナが、フラップ３を閉じた状態において、鞄・袋物１の正面側に設けられている。
図７（Ａ）〜（Ｄ）へ、コード挿通孔１３を備えない鞄・袋物１の他の例を示す。
【００５２】
図７（Ａ）〜（Ｄ）へ示す通り、この鞄・袋物１は、ショルダーバッグとして利用することができる。図７（Ａ）へ示す通り、この鞄・袋物１は、縦長に形成されている。肩掛けベルト５を取り付けるリング５１は、上下方向について上端に設けられた口１１よりも下方に設けられている（図７（Ａ））。この鞄・袋物１のリング５１より上方の部位７は、折り代として、前方へ折り畳まれる（図７（Ｃ））。
【００５３】
上記の鞄やバッグ、デイバッグ、リュックサック等の比較的大きな鞄・袋物では、複数のポケットを設けて、ポケットの夫々に携帯オーディオ機器とスマートフォンや携帯といった複数の携帯機器ｋを収納することができる。この場合において、対応する複数のコード巻回部２や複数の保持部４を設けるものとして実施することが可能である。また、フラップ３も複数設けるものとして実施することができる。
【符号の説明】
【００５４】
１        ：鞄・袋物
２        ：コード巻回部
３        ：フラップ
４        ：保持部
１０      ：鞄・袋物本体
１３      ：コード挿通孔
２１      ：外周部
２２      ：抜止め部
２３      ：起毛ファスナ
３１      ：起毛ファスナ
４１      ：切れ込み
６１      ：環状部
６２      ：シート
ｃ        ：コード
ｋ        ：携帯機器
【図１】
2014018538.tif 000003
【図２】
2014018538.tif 000004
【図３】
2014018538.tif 000005
【図４】
2014018538.tif 000006
【図５】
2014018538.tif 000007
【図６】
2014018538.tif 000008
【図７】
2014018538.tif 000009